(57)【要約】本発明の一実施形態にかかる音楽的頭脳健康増進システムは、選曲された音楽に応じて視覚的信号を表示するディスプレイ装置と、使用者の入力を受けて前記ディスプレイ装置を制御するコントロールボックスと、加速度センサを含み、使用者の動きに応じて前記加速度センサを駆動し、前記コントロールボックスに信号を送るコントローラとを含み、前記コントロールボックスは、前記コントローラから受けた信号を、前記ディスプレイ装置を制御する信号と比較して処理し、結果を出力することができる。【選択図】図１
2014504372.tif 000002
【特許請求の範囲】
【請求項１】
選曲された音楽に応じて視覚的信号を表示するディスプレイ装置と、
使用者の入力を受けて前記ディスプレイ装置を制御するコントロールボックスと、
加速度センサを含み、使用者の動きに応じて前記加速度センサを駆動し、前記コントロールボックスに信号を送るコントローラとを含み、
前記コントロールボックスは、前記コントローラから受けた信号を、前記ディスプレイ装置を制御する信号と比較して処理し、結果を出力することを特徴とする音楽的頭脳健康増進システム。
【請求項２】
前記ディスプレイ装置は、前記コントローラの駆動に反応して音楽を再現することを特徴とする請求項１記載の音楽的頭脳健康増進システム。
【請求項３】
前記ディスプレイ装置は、前記コントローラから信号を受けた前記コントロールボックスによって制御されて前記音楽を再現することを特徴とする請求項２記載の音楽的頭脳健康増進システム。
【請求項４】
前記ディスプレイ装置で表示される視覚的信号は、前記選曲された音楽に応じて順次に表示される音符記号であることを特徴とする請求項１記載の音楽的頭脳健康増進システム。
【請求項５】
前記コントロールボックスは、前記コントローラから受けた信号を、前記ディスプレイ装置を制御する信号と比較して点数で計算し、前記計算された点数を前記ディスプレイ装置に表示することを特徴とする請求項１記載の音楽的頭脳健康増進システム。
【請求項６】
前記コントロールボックスと前記コントローラは、それぞれＲＦ（Ｒａｄｉｏ  Ｆｒｅｑｕｅｎｃｙ）モジュールを含み、互いに無線通信を行うことを特徴とする請求項１記載の音楽的頭脳健康増進システム。
【請求項７】
前記コントローラは、ＭＰＵ（Ｍｉｃｒｏ  Ｐｒｏｃｅｓｓｏｒ  Ｕｎｉｔ）を内蔵し、信号情報を処理することを特徴とする請求項１記載の音楽的頭脳健康増進システム。
【請求項８】
前記コントロールボックスは、ＣＰＵ（Ｃｅｎｔｒａｌ  Ｐｒｏｃｅｓｓｏｒ  Ｕｎｉｔ）を内蔵し、信号情報を処理することを特徴とする請求項１記載の音楽的頭脳健康増進システム。
【請求項９】
前記コントロールボックスは、音楽情報が記憶されたデータベースを含むことを特徴とする請求項１記載の音楽的頭脳健康増進システム。
【請求項１０】
前記コントローラは、スピーカが内蔵されており、前記加速度センサの駆動によって音を実現することを特徴とする請求項１記載の音楽的頭脳健康増進システム。
【請求項１１】
前記コントローラは、棒型コントローラであることを特徴とする請求項１記載の音楽的頭脳健康増進システム。
【請求項１２】
前記コントローラは、タンバリン型コントローラであることを特徴とする請求項１記載の音楽的頭脳健康増進システム。
【請求項１３】
前記コントローラは、モーションバンド型コントローラであることを特徴とする請求項１記載の音楽的頭脳健康増進システム。
【発明の詳細な説明】
【技術分野】
【０００１】
本発明は、健康増進システムに関するものであって、幼児や子供の教育、家族ゲームまたは老人の痴呆予防のための音楽的頭脳健康増進システムに関するものである。
【背景技術】
【０００２】
韓国は今日、高齢化社会に入るにつれ、老人の人口が速い速度で増加しており、痴呆の有病率も増加して痴呆患者の数が急速に増加している。このような問題を解決するために、地方自治体などでは治療施設や介護施設などを拡充しようとするなど、老人の痴呆問題に対する社会的関心が高い方である。痴呆は、治療をすることだけでなく、予防することも重要で、最近は痴呆を予防する分野に対しても関心が高まっている。
【０００３】
痴呆予防のための一つの方法としてブレインフィットネスプログラム（Ｂｒａｉｎ  Ｆｉｔｎｅｓｓ  Ｐｒｏｇｒａｍ）が開発され、頭脳が高い水準の機能を維持および向上させるのに必要な訓練法を提供している。
【発明の概要】
【発明が解決しようとする課題】
【０００４】
本発明は、使用者がディスプレイ装置に出力される音符などの視覚的信号に応じてコントローラを動かして音楽を演奏するようにし、その成果をフィードバックすることにより、使用者の社会的、感性的、肉体的、認知的能力を向上できるように支援する音楽的頭脳健康増進システムを提供しようとする。
【課題を解決するための手段】
【０００５】
本発明の一実施形態にかかる音楽的頭脳健康増進システムは、選曲された音楽に応じて視覚的信号を表示するディスプレイ装置と、使用者の入力を受けて前記ディスプレイ装置を制御するコントロールボックスと、加速度センサを含み、使用者の動きに応じて前記加速度センサを駆動し、前記コントロールボックスに信号を送るコントローラとを含み、前記コントロールボックスは、前記コントローラから受けた信号を、前記ディスプレイ装置を制御する信号と比較して処理し、結果を出力することができる。
【０００６】
前記ディスプレイ装置は、前記コントローラの駆動に反応して音楽を再現することができ、前記コントローラから信号を受けた前記コントロールボックスによって制御されて前記音楽を再現することができる。
【０００７】
前記ディスプレイ装置で表示される視覚的信号は、前記選曲された音楽に応じて順次に表示される音符記号であり得る。
【０００８】
前記コントロールボックスは、前記コントローラから受けた信号を、前記ディスプレイ装置を制御する信号と比較して点数で計算し、前記計算された点数を前記ディスプレイ装置に表示することができる。
【０００９】
前記コントロールボックスと前記コントローラは、それぞれＲＦ（Ｒａｄｉｏ  Ｆｒｅｑｕｅｎｃｙ）モジュールを含み、互いに無線通信を行うことができる。
【００１０】
前記コントローラは、ＭＰＵ（Ｍｉｃｒｏ  Ｐｒｏｃｅｓｓｏｒ  Ｕｎｉｔ）を内蔵し、信号情報を処理することができる。
【００１１】
前記コントロールボックスは、ＣＰＵ（Ｃｅｎｔｒａｌ  Ｐｒｏｃｅｓｓｏｒ  Ｕｎｉｔ）を内蔵し、信号情報を処理することができる。
【００１２】
前記コントロールボックスは、音楽情報が記憶されたデータベースを含むことができる。
【００１３】
前記コントローラは、スピーカが内蔵されており、前記加速度センサの駆動によって音を実現することができる。
【００１４】
前記コントローラとしては、棒型コントローラ、タンバリン型コントローラ、またはモーションバンド型コントローラなどを選択して用いることができる。
【発明の効果】
【００１５】
このような本発明の一実施形態にかかる音楽的頭脳健康増進システムによれば、使用者がディスプレイ装置に出力される音符に応じてコントローラを動かして音楽を演奏するようにし、その成果をフィードバックすることにより、使用者の社会的、感性的、肉体的、認知的能力を向上させることができる。
【００１６】
また、使用者に知っている歌に合わせて動作をつけさせることにより、楽器を演奏する効果を奏することができる。
【図面の簡単な説明】
【００１７】
【図１】本発明の一実施形態にかかる音楽的頭脳健康増進システムの構成を概略的に示すブロック図である。
【図２】本発明の一実施形態にかかる音楽的頭脳健康増進システムによってプログラムが進行する過程を示すフローチャートである。
【図３】本発明の一実施形態にかかる音楽的頭脳健康増進システムを構成するコントロールボックスを示す斜視図である。
【図４Ａ】本発明の一実施形態にかかる音楽的頭脳健康増進システムを構成する棒型コントローラを示す斜視図である。
【図４Ｂ】本発明の一実施形態にかかる音楽的頭脳健康増進システムを構成する棒型コントローラを示す底面図である。
【図５Ａ】本発明の一実施形態にかかる音楽的頭脳健康増進システムを構成するタンバリン型コントローラを示す斜視図である。
【図５Ｂ】本発明の一実施形態にかかる音楽的頭脳健康増進システムを構成するタンバリン型コントローラを示す底面図である。
【図６Ａ】本発明の一実施形態にかかる音楽的頭脳健康増進システムを構成するモーションバンド型コントローラを示す斜視図である。
【図６Ｂ】図６ＡのＢ−Ｂ線に沿った背面図である。
【図７】本発明の一実施形態にかかる音楽的頭脳健康増進システムの各コントローラおよび難易度に応じた動作を例示する図である。
【発明を実施するための形態】
【００１８】
以下、添付した図面を参照して、本発明の実施形態について、本発明の属する技術分野における通常の知識を有する者が容易に実施できるように詳細に説明する。しかし、本発明は、種々の異なる形態で実現可能であり、ここで説明する実施形態に限定されない。図面において、本発明を明確に説明するために説明上不必要な部分は省略し、明細書全体にわたって同一または類似の構成要素については同一の参照符号を付した。
【００１９】
図１は、本発明の一実施形態にかかる音楽的頭脳健康増進システムの構成を概略的に示すブロック図である。
【００２０】
本実施形態にかかる音楽的頭脳健康増進システム（以下、「システム」と略称する）１００は、ディスプレイ装置１３０と、これを制御するコントロールボックス１２０とを含み、使用者が手に握ったり手首または足首に着用可能なコントローラ１１０を含む。
【００２１】
ディスプレイ装置１３０は、選曲された音楽に応じて視覚的信号を表示し、使用者は所望の音楽を選曲するなどコントロールボックス１２０に所望の情報を入力することができる。コントロールボックス１２０は、ディスプレイ装置１３０と信号の送受信が可能となるように有線または無線で接続され、入力情報に応じて前記ディスプレイ装置１３０の画面を制御する。ディスプレイ装置１３０で表示される視覚的信号は、前記選曲された音楽に応じて順次に表示される音符記号となり得る。コントロールボックス１２０は、ＣＰＵ（Ｃｅｎｔｒａｌ  Ｐｒｏｃｅｓｓｏｒ  Ｕｎｉｔ）１２３を内蔵し、信号情報を処理することができ、音楽情報が記憶されたデータベース１２４を含むことができる。
【００２２】
コントローラ１１０は、加速度センサ１１２を含み、使用者の動きに応じて前記加速度センサ１１２を駆動し、コントロールボックス１２０に信号を送る。コントローラ１１０は、ＭＰＵ（Ｍｉｃｒｏ  Ｐｒｏｃｅｓｓｏｒ  Ｕｎｉｔ）１１４を内蔵し、信号情報を処理することができ、コントローラ１１０とコントロールボックス１２０は、それぞれＲＦ（Ｒａｄｉｏ  Ｆｒｅｑｕｅｎｃｙ）モジュール１１６、１２５を含み、互いに無線通信を行うことができる。
【００２３】
一方、コントロールボックス１２０は、コントローラ１１０から受けた信号を、ディスプレイ装置１３０を制御する信号と比較して処理し、結果を出力することができる。つまり、前記コントロールボックス１２０は、前記コントローラ１１０から受けた信号を、前記ディスプレイ装置１３０を制御する信号と比較して点数で計算し、前記計算された点数を前記ディスプレイ装置１３０に表示することができる。また、ディスプレイ装置１３０は、コントローラ１１０の駆動に反応して音楽を再現することができ、この時、コントローラ１１０から信号を受けたコントロールボックス１２０は、前記ディスプレイ装置１３０を制御して音楽を再現することができる。
【００２４】
以上のように実現されるシステム１００が実行されると、コントロールボックス１２０のＣＰＵ１２３で処理された信号情報をディスプレイ装置１３０に送り、視覚的信号（画面）と聴覚的信号（音）を出力する。視覚的信号と聴覚的信号に反応して使用者がコントローラ１１０を動かすと、加速度センサ１１２が前記コントローラ１１０の動きを感知し、ＭＰＵ１１４で情報を処理し、ＲＦモジュール１１６、１２５を介してコントロールボックス１２０に信号を伝達する。コントロールボックス１２０に伝達された情報はＣＰＵ１２３によって処理され、前記コントロールボックス１２０は、再びディスプレイ装置１３０に視覚的信号と聴覚的信号、そして、触覚的信号の出力のために信号を伝達する。触覚的信号はコントローラ１１０が振動することによって使用者に伝達可能であり、ディスプレイ装置１３０にもＣＰＵ１３２が内蔵され、信号処理などの作業を円滑に行うことができる。
【００２５】
コントロールボックス１２０における採点方式は、一例として、コントローラ１１０の動きが加速度センサ１１２によって感知された時、ディスプレイ装置１３０に出力される音符のイメージが設定された範囲内に入った程度（例えば、音符イメージのピクセル数に対する、設定範囲内に入ったピクセル数の比）を、前記コントロールボックス１２０のＣＰＵ１２３が計算して点数を算出する方式を適用することができる。しかし、本発明の範囲は、これに限定されず、選択された音楽情報で設定された範囲と使用者の駆動によって制御されて伝達された信号の符合程度を数値化して点数の算定に活用する多様な実現手段が適用可能である。
【００２６】
図２は、本発明の一実施形態にかかる音楽的頭脳健康増進システムによってプログラムが進行する過程を示すフローチャートである。
【００２７】
図２を参照すれば、まず、コントロールボックス１２０の電源をつけ、「演奏する」またはインフォメーションのメニューを選択する。「演奏する」を選択し、コントローラ１１０としてどれを使うかを選択した後、演奏モードを選択する。演奏モードとしては、一例として、単独演奏、合奏、対決演奏が含まれ得る。
【００２８】
演奏モードの選択後、順次に、選曲して楽器を選択し、難易度を設定してから演奏を始めることができる。演奏は、選択した曲（音楽）に合わせてコントロールボックス１２０がディスプレイ装置１３０に音符を移動させると、適切なタイミングにコントローラ１１０を動かすことによって点数を取得することができる。この時、コントローラ１１０をどれだけ正確なタイミングに操作するかによって点数が異なり得、選択した難易度に応じて行うべき動作の複雑度が高くなる。
【００２９】
演奏を完了した後、採点の結果を確認し、プログラムを終了したり、再び選曲してさらに他の演奏を始めることができる。
【００３０】
図３は、本発明の一実施形態にかかる音楽的頭脳健康増進システムを構成するコントロールボックスを示す斜視図である。
【００３１】
図３を参照すれば、本実施形態にかかるコントロールボックス１２０は、プログラムを実行または終了する機能を果たす電源ボタン１２１と、演奏、歌を始めたり停止させる開始／停止ボタン１２２とを備える。演奏を始める前の状態からプログラムを最初に始める状態に戻すことが可能な始めボタン１４１と、コントローラ、演奏モード、選曲時に選択のために左右に動かすことが可能な左右選択ボタン１４２とを備えることができる。そして、歌の番号を押して選曲できるように数字を入力させることが可能な数字番号ボタン１４３と、入力した数字を１つずつ消すことが可能な番号消しボタン１４５とを備えることができる。また、選曲しやすく補助するモードを実行する簡単探しボタン１４６を備えることもでき、必要な情報を表示するディスプレイウィンドウ１４８をさらに備えることができる。
【００３２】
一方、コントローラ１１０は、一例として、棒型コントローラ、タンバリン型コントローラ、モーションバンド型コントローラを含むことができる。以下、それぞれのコントローラについて、図面を参照して説明する。
【００３３】
図４Ａおよび図４Ｂは、本発明の一実施形態にかかる音楽的頭脳健康増進システムを構成する棒型コントローラを示す斜視図および底面図である。
【００３４】
図４Ａを参照すれば、本実施形態の棒型コントローラ２１０は、竹のスティック形状を有し、一側端部には、取っ手として使用できるようにゴム材質のグリップ２１２が被せられている。また、プログラムの実行時に掴まっていた棒型コントローラ２１０が手から滑っても床に落とされないようにストラップ２１５が備えられている。そして、スピーカ２１８が内蔵されており、加速度センサの駆動によって音を実現することができる。
【００３５】
図４Ｂを参照すれば、本実施形態の棒型コントローラ２１０の底面には充電端子２１３が形成されており、内蔵されたＭＰＵ、ＲＦモジュール、加速度センサ、スピーカなどの駆動に必要な電源を充電しておくことができる。
【００３６】
ディスプレイ装置を通して表示される、動く音符が特定の範囲内に入ったと判断された時、使用者は前記棒型コントローラ２１０を指定された動作、一例として、上下に動かしたり、左右に動かしたり、回すような動作をすれば、設定された採点方式と信号伝達方式によって処理される。
【００３７】
図５Ａおよび図５Ｂは、本発明の一実施形態にかかる音楽的頭脳健康増進システムを構成するタンバリン型コントローラを示す斜視図および底面図である。
【００３８】
図５Ａを参照すれば、本実施形態のタンバリン型コントローラ３１０は、一側に取っ手が形成された通常のタンバリンの形態を有し、側面の中央部分には三日月状のＬＥＤ３１７が形成され、使用者の動きに応じて光を出すことができる。また、プログラムの実行時に掴まっていたタンバリン型コントローラ３１０が手から滑っても床に落とされないようにストラップ３１５が備えられている。そして、スピーカ３１８が内蔵されており、加速度センサの駆動によって音を実現することができる。
【００３９】
図５Ｂを参照すれば、本実施形態のタンバリン型コントローラ３１０の底面には充電端子３１３が形成されており、内蔵されたＭＰＵ、ＲＦモジュール、加速度センサ、スピーカなどの駆動に必要な電源を充電しておくことができる。
【００４０】
ディスプレイ装置を通して表示される、動く音符が特定の範囲内に入ったと判断された時、使用者は前記タンバリン型コントローラ３１０を指定された動作、一例として、上下に動かして手で打ったり、左右に動かして手で打ったり、揺らしたり回すような動作をすれば、設定された採点方式と信号伝達方式によって処理される。
【００４１】
図６Ａは、本発明の一実施形態にかかる音楽的頭脳健康増進システムを構成するモーションバンド型コントローラを示す斜視図であり、図６Ｂは、図６ＡのＢ−Ｂ線に沿った背面図である。
【００４２】
図６Ａを参照すれば、本実施形態のモーションバンド型コントローラ４１０は、手首や足首に巻いて着用できるようにバンド形状となり、一側端部には、サイズを調整して締結できるように複数の調整具４１１が前記バンドの長さ方向に配列されている。前記バンドの中央部には、使用者の動きに応じて光を出すようにＬＥＤ４１７が備えられ、その側面にはスピーカ４１８が内蔵されており、加速度センサの駆動によって音を実現することができる。
【００４３】
図６Ｂを参照すれば、本実施形態のモーションバンド型コントローラ４１０の背面には充電端子４１３が形成されており、内蔵されたＭＰＵ、ＲＦモジュール、加速度センサ、スピーカなどの駆動に必要な電源を充電しておくことができる。
【００４４】
前記のようなモーションバンド型コントローラ４１０は、手首用と足首用が区分されてそれぞれ使用者に提供可能であり、足首用モーションバンド型コントローラは、手首用モーションバンド型コントローラに比べて相対的に大きく形成され得る。使用者は手首用モーションバンド型コントローラと足首用モーションバンド型コントローラを同時に着用し、プログラムを実行することができる。
【００４５】
ディスプレイ装置１３０を通して表示される、動く音符が特定の範囲内に入ったと判断された時、使用者は前記モーションバンド型コントローラ４１０を左右の手足に着用した状態で指定された動作、一例として、片手を動かしたり、片足を動かしたり、両手を動かしたり、手足を同時に動かしたり、ジャンプ動作をすれば、設定された採点方式と信号伝達方式によって処理される。
【００４６】
図７は、本発明の一実施形態にかかる音楽的頭脳健康増進システムの各コントローラおよび難易度に応じた動作を例示する図である。
【００４７】
図７を参照すれば、選択されたコントローラによって行うべき動作が異なって設定されており、難易度が高いほどより複雑で多様な動作を行うように設定可能である。
【００４８】
以上、本発明の好ましい実施形態について説明したが、本発明は、これに限定されるものではなく、特許請求の範囲と発明の詳細な説明および添付した図面の範囲内で多様に変形して実施可能であり、これも本発明の範囲に属することは当然である。
【図１】
2014504372.tif 000003
【図２】
2014504372.tif 000004
【図３】
2014504372.tif 000005
【図４ａ】
2014504372.tif 000006
【図４ｂ】
2014504372.tif 000007
【図５ａ】
2014504372.tif 000008
【図５ｂ】
2014504372.tif 000009
【図６ａ】
2014504372.tif 000010
【図６ｂ】
2014504372.tif 000011
【図７】
2014504372.tif 000012
【国際調査報告】
2014504372.tif 000013
2014504372.tif 000014
2014504372.tif 000015
2014504372.tif 000016